【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
操作対象であるオブジェクトを含む画像を画面に表示する画像表示部と、指の接触位置を時間経過に応じて逐次出力するタッチパネルとを備えたユーザインタフェース装置であって、
前記タッチパネルに接触した当該指に対して触覚応答を付与する触覚応答機構部と、
当該指の接触位置が、接触した当初、当該オブジェクトの表示位置範囲に重畳しているか否かを判定する第１接触位置判定手段と、
当該指の接触位置が、当該オブジェクトの表示位置範囲外から該表示位置範囲内に入ったか否かを判定する第２接触位置判定手段と、
前記第１接触位置判定手段が真の判定を行った際、触覚応答の付与停止を維持すべく前記触覚応答機構部を制御する触覚応答制御手段と、
前記第１接触位置判定手段又は前記第２接触位置判定手段が真の判定を行った際、当該オブジェクトを選択する操作が行われたと判定し、対応する動作を発動させる操作判定制御手段と
を有しており、
前記触覚応答制御手段は、前記第２接触位置判定手段が真の判定を行った際、当該指に対して前記タッチパネルを介して触覚応答を付与すべく前記触覚応答機構部を制御する
ことを特徴とするユーザインタフェース装置。
【請求項２】
前記タッチパネルに接触した当該指によって与えられる押圧力を検出する押圧力検出部と、
前記押圧力が所定閾値以上であるか否かを判定する押圧力判定手段と
を更に有しており、
前記操作判定制御手段は、前記第２接触位置判定手段が真の判定を行い且つ前記押圧力判定手段が真の判定を行った際、当該オブジェクトの機能を発動させる操作が行われたと判定し、対応する動作を発動させ、
前記触覚応答制御手段は、前記第２接触位置判定手段が真の判定を行い且つ前記押圧力判定手段が真の判定を行った際、当該指に対して前記タッチパネルを介して触覚応答を付与すべく前記触覚応答機構部を制御する
ことを特徴とする請求項１に記載のユーザインタフェース装置。
【請求項３】
当該指の接触位置が、所定時間以上継続して変化しなかったか否かを判定する接触時間判定手段と、
前記接触時間判定手段が真の判定を行った際、当該オブジェクトを含む画像全体を移動させることなく固定した状態で当該指の接触位置をモニタする「タッチフォーカス」モードを動作させるモード動作手段と
を更に有しており、
前記触覚応答制御手段は、前記「タッチフォーカス」モードの動作下で、前記第２接触位置判定手段が真の判定を行った際、当該指に対して前記タッチパネルを介して触覚応答を付与すべく前記触覚応答機構部を制御する
ことを特徴とする請求項１又は２に記載のユーザインタフェース装置。
【請求項４】
前記画像表示部に表示された画像は、操作対象であるオブジェクトとしての複数のリンクを含むブラウザの表示画像であることを特徴とする請求項１から３のいずれか１項に記載のユーザインタフェース装置。
【請求項５】
前記触覚応答制御手段は、ユーザの操作から見て、
当該指を当該オブジェクトの表示位置範囲内に接触させた際、触覚応答を当該指に付与せず、
次いで、当該指を接触させたまま移動させて、当該指の接触位置を当該オブジェクトの表示位置範囲外に離脱させ、その後、当該指の接触位置が当該オブジェクト又は別のオブジェクトの表示位置範囲内に入った際、触覚応答を付与すべく前記触覚応答機構部を制御する
ことを特徴とする請求項１から４のいずれか１項に記載のユーザインタフェース装置。
【請求項６】
操作対象であるオブジェクトを含む画像を画面に表示する画像表示部と、指の接触位置を時間経過に応じて逐次出力するタッチパネルとを備えたユーザインタフェース装置に搭載されたプログラムであって、
前記タッチパネルに接触した当該指に対して触覚応答を付与する触覚応答機構部と、
当該指の接触位置が、接触した当初、当該オブジェクトの表示位置範囲に重畳しているか否かを判定する第１接触位置判定手段と、
当該指の接触位置が、当該オブジェクトの表示位置範囲外から該表示位置範囲内に入ったか否かを判定する第２接触位置判定手段と、
前記第１接触位置判定手段が真の判定を行った際、触覚応答の付与停止を維持すべく前記触覚応答機構部を制御し、前記第２接触位置判定手段が真の判定を行った際、当該指に対して前記タッチパネルを介して触覚応答を付与すべく前記触覚応答機構部を制御する触覚応答制御手段と、
前記第１接触位置判定手段又は前記第２接触位置判定手段が真の判定を行った際、当該オブジェクトを選択する操作が行われたと判定し、対応する動作を発動させる操作判定制御手段と
してコンピュータを機能させることを特徴とするユーザインタフェース装置用のプログラム。
【請求項７】
操作対象であるオブジェクトを含む画像を画面に表示する画像表示部と、指の接触位置を時間経過に応じて逐次出力するタッチパネルとを備えたユーザインタフェース装置における触覚応答付与方法であって、
前記ユーザインタフェース装置が、前記タッチパネルに接触した当該指に対して触覚応答を付与する触覚応答機構部を備えており、
前記触覚応答付与方法が、
当該指の接触位置が、接触した当初、当該オブジェクトの表示位置範囲に重畳しているか否かを判定する第１のステップと、
第１のステップで真の判定がなされた際、触覚応答の付与停止を維持する第２のステップと、
第１のステップで真の判定がなされた際、当該オブジェクトを選択する操作が行われたと判定し、対応する動作を発動させる第３のステップと、
第１のステップで偽の判定がなされた後、当該指の接触位置が、当該オブジェクトの表示位置範囲外から該表示位置範囲内に入ったか否かを判定する第４のステップと、
第４のステップで真の判定がなされた際、当該指に対して前記タッチパネルを介して触覚応答を付与する第５のステップと、
第４のステップで真の判定がなされた際、当該オブジェクトを選択する操作が行われたと判定し、対応する動作を発動させる第６のステップと
を有することを特徴とする触覚応答付与方法。
【手続補正２】
【補正対象書類名】明細書
【補正対象項目名】００１３
【補正方法】変更
【補正の内容】
【００１３】
本発明によれば、操作対象であるオブジェクトを含む画像を画面に表示する画像表示部と、指の接触位置を時間経過に応じて逐次出力するタッチパネルとを備えたユーザインタフェース装置であって、
タッチパネルに接触した当該指に対して触覚応答を付与する触覚応答機構部と、
当該指の接触位置が、接触した当初、当該オブジェクトの表示位置範囲に重畳しているか否かを判定する第１接触位置判定手段と、
当該指の接触位置が、当該オブジェクトの表示位置範囲外からこの表示位置範囲内に入ったか否かを判定する第２接触位置判定手段と、
第１接触位置判定手段が真の判定を行った際、触覚応答の付与停止を維持すべく触覚応答機構部を制御する触覚応答制御手段と、
第１接触位置判定手段又は第２接触位置判定手段が真の判定を行った際、当該オブジェクトを選択する操作が行われたと判定し、対応する動作を発動させる操作判定制御手段と
を有しており、
触覚応答制御手段は、第２接触位置判定手段が真の判定を行った際、当該指に対してタッチパネルを介して触覚応答を付与すべく触覚応答機構部を制御する
ことを特徴とするユーザインタフェース装置が提供される。
【手続補正３】
【補正対象書類名】明細書
【補正対象項目名】００１６
【補正方法】変更
【補正の内容】
【００１６】
さらに、本発明によるユーザインタフェース装置の他の実施形態によれば、画像表示部に表示された画像は、操作対象であるオブジェクトとしての複数のリンクを含むブラウザの表示画像であることも好ましい。
【手続補正４】
【補正対象書類名】明細書
【補正対象項目名】００１８
【補正方法】変更
【補正の内容】
【００１８】
本発明によれば、さらに、操作対象であるオブジェクトを含む画像を画面に表示する画像表示部と、指の接触位置を時間経過に応じて逐次出力するタッチパネルとを備えたユーザインタフェース装置に搭載されたプログラムであって、
タッチパネルに接触した当該指に対して触覚応答を付与する触覚応答機構部と、
当該指の接触位置が、接触した当初、当該オブジェクトの表示位置範囲に重畳しているか否かを判定する第１接触位置判定手段と、
当該指の接触位置が、当該オブジェクトの表示位置範囲外からこの表示位置範囲内に入ったか否かを判定する第２接触位置判定手段と、
第１接触位置判定手段が真の判定を行った際、触覚応答の付与停止を維持すべく触覚応答機構部を制御し、第２接触位置判定手段が真の判定を行った際、当該指に対してタッチパネルを介して触覚応答を付与すべく触覚応答機構部を制御する触覚応答制御手段と、
第１接触位置判定手段又は第２接触位置判定手段が真の判定を行った際、当該オブジェクトを選択する操作が行われたと判定し、対応する動作を発動させる操作判定制御手段と
してコンピュータを機能させるユーザインタフェース装置用のプログラムが提供される。
【手続補正５】
【補正対象書類名】明細書
【補正対象項目名】００１９
【補正方法】変更
【補正の内容】
【００１９】
本発明によれば、さらにまた、操作対象であるオブジェクトを含む画像を画面に表示する画像表示部と、指の接触位置を時間経過に応じて逐次出力するタッチパネルとを備えたユーザインタフェース装置における触覚応答付与方法であって、
ユーザインタフェース装置が、タッチパネルに接触した当該指に対して触覚応答を付与する触覚応答機構部を備えており、
触覚応答付与方法が、
当該指の接触位置が、接触した当初、当該オブジェクトの表示位置範囲に重畳しているか否かを判定する第１のステップと、
第１のステップで真の判定がなされた際、触覚応答の付与停止を維持する第２のステップと、
第１のステップで真の判定がなされた際、当該オブジェクトを選択する操作が行われたと判定し、対応する動作を発動させる第３のステップと、
第１のステップで偽の判定がなされた後、当該指の接触位置が、当該オブジェクトの表示位置範囲外からこの表示位置範囲内に入ったか否かを判定する第４のステップと、
第４のステップで真の判定がなされた際、当該指に対してタッチパネルを介して触覚応答を付与する第５のステップと、
第４のステップで真の判定がなされた際、当該オブジェクトを選択する操作が行われたと判定し、対応する動作を発動させる第６のステップと
を有する触覚応答付与方法が提供される。